(57)【要約】【課題】製造コストを押さえ、容易に、かつ、精度高く、磁気リードヘッドのコア幅を測定する技術を提供することを目的とする。【解決手段】磁気記録媒体において所望の磁化方向を有する１つ以上の島状領域からなる磁気パターンを読み取ることにより磁気リードヘッドのコア幅を測定する方法であって、磁気パターンの一部が磁気リードヘッドを通過する際に、磁気リードヘッドが磁気パターンから読み出すリード出力をもとに磁気リードヘッドのコア幅を算出する。また、上記磁気パターンは、磁気転写マスタ体から磁気記録媒体へ磁気転写してつくることを特徴とする。【選択図】図1
2008226348.tif 000002
【特許請求の範囲】
【請求項１】
磁気記録媒体において所望の磁化方向を有する１つ以上の島状領域からなる磁気パターンを読み取ることにより磁気リードヘッドのコア幅を測定する方法であって、
前記磁気パターンの一部が前記磁気リードヘッドを通過する際に、前記磁気リードヘッドが前記磁気パターンから読み出すリード出力をもとに前記磁気リードヘッドのコア幅を算出することを特徴とする磁気リードヘッドのコア幅測定方法。
【請求項２】
前記磁気パターンに対応する第１の磁気パターンを保持する磁気転写マスタ体を用いて前記磁気記録媒体に磁気転写された第２の磁気パターンを前記磁気リードヘッドが読み取ることにより前記磁気リードヘッドのコア幅を測定する方法であって、
前記磁気記録媒体の前記第２の磁気パターンの一部が前記磁気リードヘッドを通過する際に、前記磁気リードヘッドが前記第２の磁気パターンから読み出すリード出力をもとに前記磁気リードヘッドのコア幅を算出することを特徴とする請求項１記載の磁気リードヘッドのコア幅測定方法。
【請求項３】
磁気記録媒体における所望の磁化方向を有する１つ以上の島状領域からなる磁気パターンを磁気リードヘッドが読み取ることにより前記磁気リードヘッドのコア幅を測定するための前記磁気記録媒体であって、
前記磁気パターンは前記コア幅の方向の幅が前記コア幅より狭い前記島状領域と前記コア幅より広い前記島状領域とを有することを特徴とする磁気記録媒体。
【請求項４】
前記磁気パターンに対応する第３の磁気パターンを保持する磁気転写マスタ体によって前記磁気記録媒体に磁気転写された第４の磁気パターンを前記磁気リードヘッドが読み取ることにより前記コア幅を測定するための前記磁気記録媒体であって、
前記第４の磁気パターンは前記コア幅の方向の幅より狭い前記島状領域と前記コア幅より広い前記島状領域とを有することを特徴とする請求項３記載の磁気記録媒体。
【請求項５】
請求項１または請求項２におけるコア幅測定方法によりコア幅を測定された磁気リードヘッド。
【請求項６】
請求項５記載の磁気リードヘッドを有する磁気記録装置。
【発明の詳細な説明】
【技術分野】
【０００１】
本発明は、磁気ディスク装置等の情報記憶装置の磁気リードヘッドのコア幅測定方法、これを行う磁気記録媒体、磁気リードヘッド、および磁気記録装置に関する。
【背景技術】
【０００２】
磁気ディスク装置等の情報記憶装置は、年々、大容量化、高記録密度化が進み、また、装置そのもの小型化に伴い、各ユニットの小型化も急速に進んでいる。殊に、磁気ディスク媒体に対して情報の書き込み、読み出しを行う一体型のリードライトヘッドは薄膜形成技術を用いて微細な成膜および加工が施され、各部寸法はますます小さくなってきている。
【０００３】
リードヘッドについてみてみると、ＭＲ素子、ＧＭＲ素子、ＴＭＲ等を用いたリードヘッドの場合には、各部の寸法の精度維持、計測手法は高度なものとなってきており、リードヘッドのコア幅（あるいはトラック幅。本発明においては、以下コア幅と呼ぶ）は、例えば、ＭＲ素子の場合、装置組立て前に、ヘッドスライダの状態で、あるいはヘッド単体の状態で、専用の検査装置を用いて機械的なコア幅の寸法を測定し（特許文献１参照）、所定のランク付けを行い使用していた。
【０００４】
しかし、ＧＭＲ素子、ＴＭＲ等を用いたリードヘッドの場合には、ますます、リードヘッドの大きさが小さくなり、寸法検査の要求精度も高く、専用の検査装置を用いてもコア幅を正確に読み取ることは難しくなってきている。
【０００５】
精密に測定を行おうとすれば、高価な検査装置が必要であり、しかも、測定に時間がかかるため、製造コストを押さえ、かつ、容易に精度の高い検査が行える検査方法が必要とされてきている。
【特許文献１】特開平０９−２５０９１０号公報
【発明の開示】
【発明が解決しようとする課題】
【０００６】
したがって、本発明においては、上記の問題を解決するため、製造コストを押さえ、容易に、かつ、精度高く、磁気リードヘッドのコア幅を測定する技術を提供することを目的とする。
【課題を解決するための手段】
【０００７】
本発明の請求項１に記載の発明は、磁気記録媒体において所望の磁化方向を有する１つ以上の島状領域からなる磁気パターンを読み取ることにより磁気リードヘッドのコア幅を測定する方法であって、前記磁気パターンの一部が前記磁気リードヘッドを通過する際に、前記磁気リードヘッドが前記磁気パターンから読み出すリード出力をもとに前記磁気リードヘッドのコア幅を算出することを特徴とする磁気リードヘッドのコア幅測定方法である。
【０００８】
請求項１記載の発明によれば、磁気テープ装置、磁気ディスク装置等において、例えば、検査用磁気テープ、検査用磁気ディスク媒体を用意する。これら検査用磁気媒体は初期状態として消磁しておくか一定方向に磁化しておき、検査用磁気媒体が磁気リードヘッドに対して動く方向に、形状寸法が予め決められた矩形または台形であって初期状態とは異なる磁化方向をもつ島状領域を磁気リードヘッドのコア幅より長さの短いものから長さの長いものへと段階的かつ所望の間隔をもって並べ、全体として、台形または二等辺三角形状をなす１つの島状領域、あるいは複数の島状領域からなる磁気パターンを設ける。
【０００９】
あるいは、上記の全体として１つの台形状または二等辺三角形状（以下において、台形または二等辺三角形状は、代表して二等辺三角形状で説明する）をなす島状領域の内部全体が初期状態とは異なる一様な磁化方向をもつようにしても構わない。
【００１０】
磁気ディスク装置においては、検査用磁気ディスク媒体を用意する代わりに、製品の磁気ディスク媒体の所定のトラック、例えば、予備トラックの一部に上記の二等辺三角形状の島状領域からなる磁気パターンを設けるようにしてもよい。
【００１１】
ここで、上記の二等辺三角形状をなす島状領域の磁気パターンを設ける方法は、磁気リードヘッドのコア幅の長さより充分に短い直径の円形あるいは矩形の先端を有する磁極を用いて、一定方向に磁界を加えながら上記の二等辺三角形状をなす島状領域を走査して初期状態とは異なる磁化方向をもつ領域としても構わないし、磁気ディスク媒体であれば、サーボパターンを磁気転写で行う手法を用いて、所望の磁気パターンをもった磁気転写マスタを用意し、本発明の磁気パターンをサーボパターンの磁気転写時、あるいはサーボパターンの磁気転写とは別に磁気ディスク媒体へ転写してもよい。また、磁気記録媒体への記録方式は、面内磁化方式でも、垂直磁化方式であっても構わない。
【００１２】
磁気リードヘッドのコア幅の算出方法は、例えば、磁気ディスク媒体の場合を例にとると、磁気ディスク媒体において二等辺三角形状をなす島状領域の頂角を有する頂点を先端または後端として、磁気リードヘッドのコア幅の中央付近を通過するように磁気リードヘッドの位置決めをし、回転する磁気ディスク媒体からの磁気リードヘッドの読み出し出力を測定する。        
【００１３】
磁気ディスク媒体の回転に伴い、二等辺三角形状をなす島状領域の頂角を有する頂点を先頭が磁気リードヘッドのコア幅の中心を通って読み出しを開始すると、磁気リードヘッドの読み出し出力が増加しはじめ、二等辺三角形状をなす島状領域の幅が磁気リードヘッドのコア幅と同じになったところで磁気リードヘッドの読み出し出力は最大となり、それ以降、二等辺三角形状をなす島状領域の幅が磁気リードヘッドのコア幅より大きくなっても磁気リードヘッドの読み出し出力は変化せず、二等辺三角形状をなす島状領域の終端である底辺に達すると、それ以降、磁気リードヘッドの読み出し出力がほぼ０となる。
【００１４】
二等辺三角形状をなす島状領域の寸法は予め決められてあるので、磁気ディスク媒体の回転数と、磁気リードヘッドの磁気ディスク媒体に対する位置をもとに、磁気リードヘッドの読み出し出力が最大になった位置から島状領域の終端である底辺までの時間を測定することにより、磁気リードヘッドの実行コア幅を算出することができる。
【００１５】
磁気ディスク媒体の回転に伴い、二等辺三角形状をなす島状領域の底辺を先端として頂角を有する頂点が後端となるように、磁気パターンが磁気リードヘッドへ移動するような配置になっていても、同様にして、磁気リードヘッドの実行コア幅を算出することができる。
【００１６】
さらに、後述するように、本発明の方法によれば、二等辺三角形状をなす島状領域の頂角を有する頂点が、磁気リードヘッドのコア幅の中央付近から多少ずれて磁気リードヘッドが位置決めされた場合でも、磁気リードヘッドの実行コア幅を算出することができるという特徴をもっている。
【００１７】
本発明の請求項２に記載の発明は、前記磁気パターンに対応する第１の磁気パターンを保持する磁気転写マスタ体を用いて前記磁気記録媒体に磁気転写された第２の磁気パターンを前記磁気リードヘッドが読み取ることにより前記磁気リードヘッドのコア幅を測定する方法であって、前記磁気記録媒体の前記第２の磁気パターンの一部が前記磁気リードヘッドを通過する際に、前記磁気リードヘッドが前記第２の磁気パターンから読み出すリード出力をもとに前記磁気リードヘッドのコア幅を算出することを特徴とする請求項１記載の磁気リードヘッドのコア幅測定方法である。
【００１８】
請求項２記載発明によれば、二等辺三角形状をなす１つあるいは複数の島状領域からなる磁気パターンを磁気ディスク媒体に設けるために、磁気ディスク媒体にサーボパターンを磁気転写する手法を用いて行う。
【００１９】
磁気ディスク媒体にサーボパターンを磁気転写する手法を用いて、磁気ディスク媒体に設けようとする磁気パターンに対応した第１の磁気パターンを保持する磁気転写マスタ体を用意する。
【００２０】
磁気転写マスタ体に第１の磁気パターンを形成するには、薄膜生成技術により、例えば、ＦｅＣｏあるいはＣｏＮｉといった高透磁率を有する磁性材料を、第１の磁気パターンに対応して磁気転写マスタ体表面に凸部となるように形成し、この磁気転写マスタ体表面を磁気記録媒体の表面に密着させ、所定の方向に磁界を印加することにより、磁気転写マスタ体表面の第１の磁気パターンを磁気記録媒体の表面に磁気転写して第２の磁気パターンを形成する。
【００２１】
磁気記録媒体の表面に転写された第２の磁気パターンを前記磁気リードヘッドが読み取ることにより、上記に説明したように磁気リードヘッドのコア幅を算出することができる。
【００２２】
本発明の請求項３に記載の発明は、磁気記録媒体における所望の磁化方向を有する１つ以上の島状領域からなる磁気パターンを磁気リードヘッドが読み取ることにより前記磁気リードヘッドのコア幅を測定するための前記磁気記録媒体であって、前記磁気パターンは前記コア幅の方向の幅が前記コア幅より狭い前記島状領域と前記コア幅より広い前記島状領域とを有することを特徴とする磁気記録媒体である。
【００２３】
請求項３記載の発明によれば、本発明の磁気記録媒体は、磁気テープであっても磁気ディスク媒体であってもよく、また、磁気記録媒体表面に形成される島状領域は１つ、あるいは複数が点在して全体として１つの磁気パターンを構成していても構わない。
【００２４】
本発明の請求項４に記載の発明は、前記磁気パターンに対応する第３の磁気パターンを保持する磁気転写マスタ体によって前記磁気記録媒体に磁気転写された第４の磁気パターンを前記磁気リードヘッドが読み取ることにより前記コア幅を測定するための前記磁気記録媒体であって、前記第４の磁気パターンは前記コア幅の方向の幅より狭い前記島状領域と前記コア幅より広い前記島状領域とを有することを特徴とする請求項３記載の磁気記録媒体である。
【００２５】
本発明の請求項５に記載の発明は、請求項１または請求項２におけるコア幅測定方法によりコア幅を測定された磁気リードヘッドである。
【００２６】
本発明の請求項６に記載の発明は、請求項５記載の磁気リードヘッドを有する磁気記録装置である。
【発明の効果】
【００２７】
磁気テープ装置、磁気ディスク装置等の磁気ヘッドを装置に組み込む前に、本発明による磁気パターンを有する検査用磁気テープあるいは検査用磁気ディスク媒体によりリードヘッドの実効コア幅の測定を行うことができるばかりでなく、磁気ディスク装置においては装置に磁気ヘッドを組み込んだ後においても、磁気記録媒体の所定の箇所に予め作成された本発明による磁気パターンを読むことにより、リードヘッドの実効コア幅測定を行うことができる。
【００２８】
これらにより、リードヘッドの実効コア幅測定を精度よく、かつ、簡単に行うことが可能となり、装置の信頼性の向上を図ることができると共に、製造コストの削減を行うことができる。
【発明を実施するための最良の形態】
【００２９】
図１は、本発明による磁気パターンの第１の実施例を示す。ａ）は紙面と平行な面に磁記録媒体１０があり、その表面に複数の矩形領域からなる磁気パターンが設けられている。複数の矩形領域は磁気記録媒体の移動方向１９を示す直線と直角に、かつ、直線を各々の矩形領域の対称軸として左からインデックスパターンＡ１１、島状領域１２、島状領域１３、島状領域１４、島状領域１５、島状領域１６、島状領域１７、インデックスパターンＢ１８が並んでいる。
【００３０】
２つのインデックスパターンと各島状領域は、磁記録媒体１０の島状領域が形成されていない初期化された部分とは異なり、例えば、一律に所望の方向に磁化されている。垂直磁化であっても面内磁化であってもよいが、リードヘッド１００がそれぞれに対応している必要がある。
【００３１】
また、リードヘッド１００は、磁記録媒体１０が磁気テープの場合には、磁気テープの磁気記録面を摺動し、磁記録媒体１０が磁気ディスク媒体の場合には磁気ディスク媒体表面を浮上しているものとする。
【００３２】
リードヘッド１００は、例えば、ＴＭＲヘッドあるいはＧＭＲヘッドであり、実効的なコア幅１０１をＬとする。図に示す磁気記録媒体の移動方向１９を示す直線の矢印上に線対称にコア幅１０１を位置づけ、磁気記録媒体１０の表面と対向するリードヘッド１００の表面に対し磁記録媒体１０を磁気記録媒体の移動方向１９に移動すると、Ｌより十分に長い長さを有する最初のインデックスパターンＡ１１により、リードヘッド１００の読取出力は、ｂ）の読取出力１１０に示すように１００％の値を示す。
【００３３】
磁気記録媒体の移動方向１９を示す矢印のついた直線の上に線対称にコア幅１０１を位置づけるには、例えば、磁気記録媒体１０の表面に設けられた、図示されていないサーボパターンを用いて行う。
【００３４】
次にリードヘッド１００が島状領域１２に達すると読取出力１２０を示し、以下同様に、リードヘッド１００が対向する島状領域における磁気記録媒体の移動方向１９と直角方向の対向長さが増すと共に、リードヘッド１００の読取出力は増大し、島状領域１５に近づいたとき磁気記録媒体の移動方向１９と直角方向の対向長さがリードヘッド１００のコア幅１０１、すなわち長さＬと等しい島状領域１５に達すると、リードヘッド１００の読取出力は１００％の値を示し、以下、インデックスパターンＢ１８まで各島状領域にリードヘッド１００が達するとリードヘッド１００の読取出力は１００％の値を示す。
【００３５】
したがって、ａ）において示されている距離Ｓ、島状領域１５の磁気記録媒体の移動方向１９と直角方向の長さは初めに決めて作ってあるので、磁気記録媒体１０の移動速度をもとに、実効的なコア幅１０１を算出できる。
【００３６】
図１においては、説明のため、島状領域を数少なく描いてあるが、もっと細かく多くの島状領域を設けてもよい。またインデックスパターンＢ１８の、磁気記録媒体の移動方向１９と直角方向の両端のどちらか一方と各島状領域の外端に接する２本の直線ＸＭとＸＮとで囲まれた２等辺三角形をリードヘッド１００に対して逆方向に移動させるようにしても構わない。
【００３７】
又、磁気記録媒体１０が磁気ディスクである場合、厳密には、磁気記録媒体の移動方向１９は図示のような直線とはならないが、狭い範囲においては、直線で近似できる。ただし、磁気パターンを磁気記録媒体１０に形成する場合のパターニングの精度を上げるためには近似せずに円弧としても構わない。
【００３８】
図１においては、複数の島状領域を２つのインデックスパターンＡとインデックスパターンＢとで挟み、距離Ｓとリードヘッド１００の読取出力の測定値との対応をしやすくするようにしているが、２つのインデックスパターンＡとインデックスパターンＢとは必須のものではない。
【００３９】
図２は、本発明による磁気パターンの第２の実施例を示す。ｃ）は紙面と平行な面に磁記録媒体２０があり、その表面に１つの２等辺三角形領域からなる島状領域２１が設けられている。磁記録媒体２０の島状領域２１が形成されていない初期化された部分とは異なり、島状領域２１内は、例えば、一律に所望の方向に磁化されている。垂直磁化であっても面内磁化であってもよいが、リードヘッド２００がそれぞれに対応している必要がある。
【００４０】
また、リードヘッド２００は、磁記録媒体２０が磁気テープの場合には磁気テープの磁気記録面を摺動し、磁記録媒体２０が磁気ディスク媒体の場合には磁気ディスク媒体表面を浮上しているものとする。
【００４１】
リードヘッド２００は、例えば、ＴＭＲヘッドあるいはＧＭＲヘッドであり、実効的なコア幅２０１をＬとする。図に示す磁気記録媒体２０の移動方向を示す直線の矢印上に、線対称の位置Ｐ０にコア幅２０１を位置づけてある。
【００４２】
島状領域２１は頂角が鋭角の二等辺三角形状パターンであって、頂角の部分を先頭にリードヘッド２００を通過するようになっている。磁気記録媒体２０を図の矢印の方向に移動し、先頭の位置２２がリードヘッド２００に達すると、ｄ）の図のようにリードヘッド２００には読取出力を生じはじめ、位置２４に近づくとリードヘッド２００の実効のコア幅２０１と島状領域２１の幅が同じとなり、リードヘッドの読取出力が１００％となる。その後は１００％の一定読取出力となり、島状領域２１の位置２６を通過すると、リードヘッドの読取出力は０となる。
【００４３】
ここで、ｃ）においてリードヘッド２００がδだけ図の下側にその位置がずれて、位置Ｐ１に示すリードヘッド２１０の位置にあるとすると、リードヘッド２１０による読取出力は、位置２２が近づくと増加をはじめ、位置２３に達するとｄ）に示す点Ｋから点線で示されるごとく、読取出力の増加は緩慢となり、位置２５の点Ｙに達すると１００％の読取出力となり、その後しばらく、読取出力は１００％を示し、位置２６を過ぎると読取出力は０となる。
【００４４】
この場合、ｄ）の図から点Ｊと点Ｋを結ぶ線を延長して点Ｔを求め、コア幅２０１を算出する。
【００４５】
このように、リードヘッド２００が磁気パターン２１に対して位置ずれがあっても、本発明によれば、位置２５をリードヘッド２００の読取出力から検出することができ、実効的なコア幅２０１を特定することができる。
【００４６】
図３は、本発明による磁気パターンの第３の実施例を示す。図２における２等辺三角形状の磁気領域の１つ１つが重ならないように隣接して複数配置されたノコギリ歯形状の磁気パターン３２と、磁気パターン３２の頂点位置をずらした同形の磁気パターン３３を図のように並べ、その内の少なくとも1つの２等辺三角形状の磁気領域がリードヘッド３００のコア幅Ｌの内側を通るようにリードヘッド３００を位置づけて、磁気パターン３２と磁気パターン３３の一部を読み取るようにすると、リードヘッド３００の読取出力が飽和する位置と磁気領域が終了する位置までの距離を調べることにより、コア幅を算出できる。
【００４７】
このようにすることにより、磁気記録媒体３０に対するリードヘッド３００の位置合わせを精度よくせずとも、リードヘッド３００の実効的なコア幅の測定ができる。
【００４８】
ここで、再び図１乃至図３を参照して、本発明の詳細な特徴を改めて説明する。
【００４９】
（付記１）磁気記録媒体において所望の磁化方向を有する１つ以上の島状領域からなる磁気パターンを読み取ることにより磁気リードヘッドのコア幅を測定する方法であって、前記磁気パターンの一部が前記磁気リードヘッドを通過する際に、前記磁気リードヘッドが前記磁気パターンから読み出すリード出力をもとに前記磁気リードヘッドのコア幅を算出することを特徴とする磁気リードヘッドのコア幅測定方法。
【００５０】
（付記２）上記磁気パターンに対応する第１の磁気パターンを保持する磁気転写マスタ体を用いて上記磁気記録媒体に磁気転写された第２の磁気パターンを上記磁気リードヘッドが読み取ることにより前記磁気リードヘッドのコア幅を測定する方法であって、前記磁気記録媒体の前記第２の磁気パターンの一部が前記磁気リードヘッドを通過する際に、前記磁気リードヘッドが前記第２の磁気パターンから読み出すリード出力をもとに前記磁気リードヘッドのコア幅を算出することを特徴とする付記１記載の磁気リードヘッドのコア幅測定方法。
【００５１】
（付記３）磁気記録媒体における所望の磁化方向を有する１つ以上の島状領域からなる磁気パターンを磁気リードヘッドが読み取ることにより前記磁気リードヘッドのコア幅を測定するための前記磁気記録媒体であって、
前記磁気パターンは前記コア幅の方向の幅が前記コア幅より狭い前記島状領域と前記コア幅より広い前記島状領域とを有することを特徴とする磁気記録媒体。
【００５２】
（付記４）上記磁気パターンに対応する第３の磁気パターンを保持する磁気転写マスタ体によって上記磁気記録媒体に磁気転写された第４の磁気パターンを上記磁気リードヘッドが読み取ることにより上記コア幅を測定するための前記磁気記録媒体であって、前記第４の磁気パターンは前記コア幅の方向の幅より狭い上記島状領域と前記コア幅より広い前記島状領域とを有することを特徴とする付記３記載の磁気記録媒体。
【００５３】
（付記５）付記１または付記２におけるコア幅測定方法によりコア幅を測定された磁気リードヘッド。
【００５４】
（付記６）付記５記載の磁気リードヘッドを有する磁気記録装置。
【００５５】
（付記７）付記３または付記４における上記島状領域は頂角が鋭角の二等辺三角形状の島状領域であって、前記島状領域の各頂点の角度および各辺の長さは所望の数値に定められ、前記島状領域は上記磁気記録媒体が上記磁気リードヘッドに対して動くとき、前記頂角を有する頂点を先端または後端として上記磁気リードヘッドのコア幅の一部または全部を通過することを特徴とする付記３または付記４に記載の磁気記録媒体。
【００５６】
（付記８）上記島状領域の領域内が一様に所望の磁化方向を有することを特徴とする付記７における磁気記録媒体。
【００５７】
（付記９）上記島状領域は更にその線対称軸と直角方向をなす複数の矩形状の島状領域からなっており、かつ、前記複数の矩形状の島状領域は所望の磁化方向をもっていることを特徴とする付記７における磁気記録媒体。
【００５８】
（付記１０）上記島状領域の頂角を有する頂点が上記磁気記録媒体の移動する方向と直角をなす第１の線上に所定間隔をもって位置する複数の上記島状領域からなる第１の組を配置し、さらに、前記頂点を上記磁気記録媒体の移動する方向と直角をなす方向にそれぞれの組に対して所望量ずらした第２以降の組を第２以降の線上に各々配置することを特徴とする付記８記載の磁気記録媒体。
【００５９】
（付記１１）上記磁気記録媒体の移動方向に上記二等辺三角形状の島状領域の前後もしくは両方に、上記磁気記録媒体の移動方向と直角方向に伸びた上記磁気リードヘッドのコア幅より長さの長いインデックスパターンを有することを特徴とする付記３、付記４、付記７乃至付記１０のいずれか１に記載の磁気記録媒体。
【００６０】
（付記１２）付記７乃至付記１０のいずれか１記載の磁気記録媒体を移動させ、かつ、上記二等辺三角形状の島状領域の頂角を有する頂点が上記磁気リードヘッドのコア幅内を通過するように前記磁気リードヘッドを位置付けて前記島状領域の一部または全部から前記磁気リードヘッドにより出力を読みとり、前記磁気リードヘッドの出力が飽和する位置と前記島状領域の底辺に相当する位置までの距離を計ることにより、前記磁気リードヘッドのコア幅を測定する方法。
【００６１】
（付記１３）付記１１に記載の磁気記録媒体を移動させ、かつ、上記二等辺三角形状の島状領域の頂角を有する頂点が上記磁気リードヘッドのコア幅内を通過するように前記磁気リードヘッドを位置付けて前記島状領域の一部または全部から上記磁気リードヘッドにより出力を読みとり、前記磁気リードヘッドの出力が飽和する位置と上記インデックスパターンの位置までの距離を計ることにより、前記磁気リードヘッドのコア幅を測定する方法。
【図面の簡単な説明】
【００６２】
【図１】本発明による磁気パターンの第１の実施例
【図２】本発明による磁気パターンの第２の実施例
【図３】本発明による磁気パターンの第３の実施例
【符号の説明】
【００６３】
１０、２０、３０    磁気記録媒体
１１                インデックスパターンＡ
１２、１３、１４、１５、１６、１７
島状領域
１８                インデックスパターンＢ
１９                磁気記録媒体の移動方向
２１、３２、３３    磁気パターン
３１                磁気記録媒体の移動方向
１００、２００、２１０、３００  
リードヘッド
【図１】
2008226348.tif 000003
【図２】
2008226348.tif 000004
【図３】
2008226348.tif 000005